(57)【特許請求の範囲】
【請求項１】
所定の形式に従って放送される、放送内容情報と所定の付加情報とを受信し、少なくとも上記放送内容情報に基づいたメディア情報を出力する放送受信装置において、
上記所定の付加情報は、電話番号情報、イベントの内容情報、料理のレシピ情報、時刻表情報、地図情報及びメールアドレス情報の少なくともいずれか１つを有するユーザ提供データと、当該ユーザ提供データをデータ送信手段によって送信させるために必要な制御情報とを含むものであり、
放送される上記放送内容情報及び上記所定の付加情報を受信する放送受信手段と、
上記放送受信手段により受信された、上記所定の付加情報に含まれている上記ユーザ提供データに対応する上記メディア情報を出力するメディア情報出力手段と、
上記放送受信手段により受信された上記所定の付加情報に含まれている上記制御情報を抽出する制御情報抽出手段と、
上記制御情報抽出手段により抽出された上記制御情報に従って、近傍に位置する接続相手端末の近距離無線通信機能の起動状態を確認し、上記接続相手端末の近距離無線通信機能が起動状態である場合に、上記所定の付加情報に含まれる上記ユーザ提供データを、当該ユーザ提供データに対応する上記メディア情報の出力と同期させたタイミングで、近距離無線通信にて送信するデータ送信手段と
を有することを特徴とする放送受信装置。
【請求項２】
上記メディア情報出力手段が、所定の形式に従って放送される、少なくとも上記放送内容情報に基づいて映像を表示するものであって、当該装置全体がテレビ装置であることを請求項１に記載の放送受信装置。
【請求項３】
請求項１に記載の放送受信装置において、
上記データ送信手段に代えて、
上記メディア情報出力手段が、上記メディア情報を表示する映像画面上又は表示画面付近に、上記制御情報抽出手段により上記付加情報の上記制御情報の検出に基づいて光を発光して、この光に上記ユーザ提供データを乗せて送信する光通信部を有することを特徴とする放送受信装置。
【請求項４】
請求項１乃至３のいずれかに記載の放送受信装置と情報通信する携帯端末装置において、
ユーザ操作を受けて起動した後、上記放送受信装置から送信される、電話番号情報、イベントの内容情報、料理のレシピ情報、時刻表情報、地図情報及びメールアドレス情報の少なくともいずれか１つを有するユーザ提供データを近距離無線通信にて受信するデータ受信手段と、
上記データ受信手段によって受信された上記ユーザ提供データを、ユーザが利用可能な状態で記憶するデータ記憶手段と
を有し、
上記データ受信手段により上記ユーザ提供データが受信されると、受信された上記ユーザ提供データを自動的に上記データ記憶手段に記憶する
ことを特徴とする携帯端末装置。
【請求項５】
所定の形式に従って放送される放送内容情報に、少なくとも、電話番号情報、イベントの内容情報、料理のレシピ情報、時刻表情報、地図情報及びメールアドレス情報の少なくともいずれか１つを有するユーザ提供データ及びそのユーザ提供データの制御情報を付加させて放送する放送局と、
上記放送局から受信した放送内容情報に基づいてメディア情報を出力すると共に、上記ユーザ提供データ及び上記ユーザ提供データの制御情報を自律的に近距離無線通信する放送受信装置と、
上記放送受信装置から近距離無線通信により送信される上記ユーザ提供データの制御情報に基づいて上記ユーザ情報データを受信する携帯端末装置と
を備え、
上記放送受信装置が、請求項１乃至３のいずれかに記載の放送受信装置に相当するものであり、上記携帯端末装置が、請求項４に記載の携帯端末装置に相当するものである
ことを特徴とする情報放送システム。
【発明の詳細な説明】
【０００１】
【発明の属する技術分野】
本発明は、放送受信装置、携帯端末装置及び情報放送システムに関する。
【０００２】
例えば、放送局から放送される情報を受信し、その受信情報に基づいて画像及び又は音声等のメディア情報の出力を行う放送受信装置、その放送受信装置と情報通信可能な端末装置に適用することができる。また、これら放送受信装置と、端末装置とを備えた情報放送システム、又はそのような放送受信装置に対する情報配信方法に適用することができる。
【０００３】
【従来の技術】
例えば、ＢＳデジタル放送やＣＳデジタル放送、あるいは今後サービスが開始される予定の地上波デジタル放送等のデジタル放送では、テレビ放送内容情報（映像情報及び音声情報を含む）と共に種々のデータの放送がなされ得る。このようにテレビ放送内容情報と共に放送されたデータ（以下、必要に応じて放送データという）を受信するテレビ装置（放送受信装置）は、その放送データに基づいた画像（以下、放送データ画像という）をテレビ放送内容情報に基づいた映像（番組映像、コマーシャル映像等）と共に表示する。そして、ユーザはそのテレビ装置に表示される放送データ画像を種々の目的に利用することができる。
【０００４】
従来、このテレビ装置に表示される放送データ画像を利用するシステムが、例えば、特開２００２−１５１５１号公報に開示される。
【０００５】
このシステムでは、放送局から放送されるテレビ番組（テレビ放送内容情報）とテレビ番組連動データ（放送データ）とをテレビ装置が受信すると、そのテレビ番組に基づいた映像及びテレビ番組連動データに基づいた画像が当該テレビ装置の画面に表示される。この状態でリモコン装置を用いてユーザがテレビ番組連動データを取得するための操作を行うと、その操作に基づいた指令信号がリモコン装置からテレビ装置に送信される。この指令信号を受信したテレビ装置は、その指令信号により上記受信しているテレビ番組連動データを当該テレビ装置の近傍（約１０メートル以内）に存在する携帯無線端末（例えば、携帯電話機）に対して近距離無線通信にて送信する。
【０００６】
このテレビ番組連動データをテレビ装置から受信した携帯無線端末では、そのテレビ番組連動データの利用が可能となり、例えば、そのテレビ番組連動データに基づいた画像の表示や情報の送信が可能となる。
【０００７】
【発明が解決しようとする課題】
ところで、上記のようなシステムでは、携帯無線端末にて放送データを取得する場合、その送信元となるテレビ装置に対して外部から（例えば、リモコン装置から、またはその携帯無線端末そのものから）指令信号を与えなければならない。このため、その指令信号を外部からテレビ装置に与える仕組みが必要となる分、システム全体の構成が複雑になる。
【０００８】
また、複数のユーザが同時にテレビ装置に表示されたテレビ番組連動データの取得を希望する場合、複数のユーザによる指令信号のテレビ装置への与え方やその指令信号のテレビ装置での処理の仕方を考慮しなければならない。
【０００９】
そこで、本発明の第１の課題は、受信したデータをより簡単に単一または複数の携帯端末装置に提供できるようにした放送受信装置を提供することである。
【００１０】
また、本発明の第２の課題は、そのような放送受信装置と情報通信可能な携帯端末装置を提供することである。
【００１１】
更に、本発明の第３の課題は、そのような放送受信装置から近距離通信により情報を携帯端末装置に送信する情報放送システムを提供する。
【００１３】
【課題を解決するための手段】
かかる課題を解決するため、第１の本発明の放送受信装置は、所定の形式に従って放送される、放送内容情報と所定の付加情報とを受信し、少なくとも放送内容情報に基づいたメディア情報を出力する放送受信装置において、所定の付加情報は、電話番号情報、イベントの内容情報、料理のレシピ情報、時刻表情報、地図情報及びメールアドレス情報の少なくともいずれか１つを有するユーザ提供データと、当該ユーザ提供データをデータ送信手段によって送信させるために必要な制御情報とを含むものであり、（１）放送される放送内容情報及び所定の付加情報を受信する放送受信手段と、（２）放送受信手段により受信された、所定の付加情報に含まれているユーザ提供データに対応するメディア情報を出力するメディア情報出力手段と、（３）放送受信手段により受信された所定の付加情報に含まれている制御情報を抽出する制御情報抽出手段と、（４）制御情報抽出手段により抽出された制御情報に従って、近傍に位置する接続相手端末の近距離無線通信機能の起動状態を確認し、接続相手端末の近距離無線通信機能が起動状態である場合に、所定の付加情報に含まれるユーザ提供データを、当該ユーザ提供データに対応するメディア情報の出力と同期させたタイミングで、近距離無線通信にて送信するデータ送信手段とを有することを特徴とする。
【００１４】
このような放送受信装置は、所定の形式に従って放送される放送内容情報と所定の付加情報を受信すると、その放送内容情報に基づいたメディア情報を出力する。そして、当該放送受信装置は、特に当該放送受信装置の外部からの働きかけを必要とせずに、その受信した付加情報に含まれるユーザ提供データを自律的に近距離無線通信により送信する。
【００１５】
このような放送受信装置によれば、上記近距離無線通信の可能な領域に存在したその近距離無線通信による受信機能を有する携帯端末装置は、放送受信装置から自律的に送信される上記ユーザ提供データを受信することができるようになる。
【００１６】
上記放送受信装置は、放送により配信される情報を受信する装置であれば特に限定されず、テレビ装置、ラジオ装置、また、例えば、インターネットを介して放送される情報を受信する機能を有したパソコンであってもよい。
【００１７】
放送内容情報は、放送されるべき番組、コマーシャルなどの放送内容そのものを表す情報である。その放送内容情報に基づいたメディア情報が放送受信装置からユーザに提供される。このメディア情報は、映像（画像）であっても、音声であっても、それらの組み合わせであってもよい。
【００１８】
近距離無線通信は、放送受信装置から出力されるメディア情報をユーザが確認できる程度の範囲を少なくともカバーする通信エリアを有する通信方式であれば特に限定されることはなく、例えば、Bluetooth（登録商標）であっても、IrDA（Infrared Data Association）であっても、更に、他の方式に無線通信であってもよい。
【００２１】
上記メディア情報は、上記放送受信装置の出力機能に応じた種類のものであり、例えば、上記放送受信装置がテレビ装置であれば、映像（画像）または音声であり、上記放送受信装置がラジオ装置であれば、音声となる。
【００２２】
また、ユーザ提供データに対応したメディア情報を出力するための手法は、特に限定されず、ユーザ提供データそのものを用いてもよいし、また、ユーザ提供データの内容を表す他のデータを用いてそのユーザ提供データに対応したメディア情報を放送受信装置から出力させることもできる。
【００２３】
第２の本発明の携帯端末装置は、第１の本発明の放送受信装置と情報通信する携帯端末装置において、（１）ユーザ操作を受けて起動した後、放送受信装置から送信される、電話番号情報、イベントの内容情報、料理のレシピ情報、時刻表情報、地図情報及びメールアドレス情報の少なくともいずれか１つを有するユーザ提供データを近距離無線通信にて受信するデータ受信手段と、（２）データ受信手段によって受信されたユーザ提供データを、ユーザが利用可能な状態で記憶するデータ記憶手段とを有し、データ受信手段によりユーザ提供データが受信されると、受信されたユーザ提供データを自動的にデータ記憶手段に記憶することを特徴とする。
【００２４】
このような携帯端末装置では、上述したような放送受信装置のデータ送信手段から送信されるユーザ提供データの受信がなされると、そのユーザ提供データが当該携帯端末装置にてユーザが利用可能な状態にて記憶手段に記憶される。
【００２５】
第３の本発明に係る情報放送システムは、所定の形式に従って放送される放送内容情報に、少なくとも、電話番号情報、イベントの内容情報、料理のレシピ情報、時刻表情報、地図情報及びメールアドレス情報の少なくともいずれか１つを有するユーザ提供データ及びそのユーザ提供データの制御情報を付加させて放送する放送局と、放送局から受信した放送内容情報に基づいてメディア情報を出力すると共に、ユーザ提供データ及びユーザ提供データの制御情報を自律的に近距離無線通信する放送受信装置と、放送受信装置から近距離無線通信により送信されるユーザ提供データの制御情報に基づいてユーザ情報データを受信する携帯端末装置とを備え、放送受信装置が、第１の本発明の放送受信装置に相当するものであり、携帯端末装置が、第２の本発明の携帯端末装置に相当するものであることを特徴とする。
【００２６】
このような情報放送システムによれば、放送局から放送された放送内容情報に基づいて出力されるメディア情報を視聴するユーザが、所持する携帯端末装置によりユーザ提供データを取得することができる。
【００２９】
上記ユーザ提供データと上記制御情報とを対にして放送配信することができ、また、そのユーザ提供データと制御情報との組と、上記放送内容情報とを交互に配列して放送配信することができる。
【００３０】
【発明の実施の形態】
（Ａ）実施形態
以下、本発明に係る放送受信装置が適用されるシステム（情報放送システム）の実施形態について図面を参照して説明する。
【００３１】
本実施形態は、放送局から放送される情報を受信した放送受信装置が、例えば近距離無線通信により、その情報に含まれる付加情報を送信して、その付加情報を受信した携帯端末装置において、その付加情報を自動登録する場合の適用について説明する。
【００３２】
（Ａ−１）実施形態の構成
本実施形態に係る情報放送システムは、例えば、図１に示すように構成される。図１に示すように本実施形態では、放送受信装置としてテレビ装置を用い、携帯端末装置として携帯電話機を用いた場合である。
【００３３】
図１に示すように、本実施形態に係る情報放送システムは、所定の形式に従って少なくとも放送内容情報を放送する放送局１００と、テレビ装置２００と、移動通信システムと通信可能であって、近距離無線通信機能を有する携帯電話機３００とを有して構成する。
【００３４】
放送局１００は、所定の形式に従って、放送内容情報と、少なくとも付加情報とを放送するものである。本実施形態では、放送局１００は、デジタル放送（例えばＢＳデジタル放送、ＣＳデジタル放送等）をするものである。
【００３５】
図２は、放送局１００から放送される情報の概念的な形式を示した概念図である。図２に示すように、放送局１００から放送される情報は、大別して、放送内容情報と、付加情報とを有しており、これら放送内容情報と付加情報とが交互に配列されたものである。
【００３６】
この放送内容情報は、画像データと、音声信号と、同期信号とを含み、また、付加情報は、後述するテレビ装置２００が近距離無線通信にて送信すべき送出用データ（ユーザ提供データ）と、その送出用データをテレビ装置２００が近距離無線通信にて送信するために必要な制御信号と、データ放送データ（以下ではデータ放送又は放送データと記載する。）とを含む。
【００３７】
この付加情報に含まれる送出用データ（ユーザ提供データ）は、例えば、番組内で参加募集されるイベントの内容やその申込先（電話番号、Eメールアドレス等）を表すもの等、放送内容情報に関連付けられたものであっても、その放送内容情報（番組内容など）と直接関係のないものであってもよい。
【００３８】
テレビ装置２００は、放送局１００から放送されるデジタル放送される放送内容情報及び付加情報（放送データ）を受信するものである。テレビ装置２００は、その受信した放送内容情報に基づいて、番組の映像（メディア情報）を表示ユニットに表示すると共に、その映像に同期した音声（メディア情報）をスピーカから出力するものである。また、そのテレビ装置２００は、受信した放送データに基づいて、文字画像（メディア情報）を上記番組の映像に重畳するように表示ユニットに表示するものである。
【００３９】
また、テレビ装置２００は、上記のように放送される情報を受信してその情報に対応したメディア情報（映像、画像、音声）を出力する機能の他、近距離無線通信機能（IrDA、Bluetooth（登録商標）等）を有し、近距離無線通信機能を有した携帯電話機３００と相互に情報通信を行うことができるものである。
【００４０】
近距離無線通信機能を有した携帯電話機３００は、移動通信システムを介した通信を行うと共に、当該近距離無線通信機能によりテレビ装置２００から送信されるデータを受信することができるものである。
【００４１】
図３は、テレビ装置２００の構成を示すブロック図である。
【００４２】
図３に示すように、テレビ装置２００は、アンテナ部２０１と、チューナ２０２と、復号・誤り訂正回路２０３と、制御部２２０と、分離・同期・デコード部２０４と、音声出力部２０５と、映像処理部２０６と、画像出力部２０７と、映像制御部２０８と、データ放送出力部２０９と、通信制御部２１０と、近距離無線送受信部２１１と、表示ユニット２１２と、スピーカ２１３とを有する。
【００４３】
制御部２２０は、通信手段を制御するものである、すなわちチューナ２０２及び復号・誤り訂正回路２０３を制御するものである。
【００４４】
チューナ２０２は、アンテナ部２０１が受信した信号（電波）を受け取り、制御部２２０による制御のもと、所定の周波数の信号を抽出して、復号・誤り訂正回路２０３へ与えるものである。
【００４５】
復号・誤り訂正回路２０３は、チューナ２０２から抽出された信号を受け取り、制御部２２０に制御のもと、その信号を復調処理及び所定の誤り訂正復号の手法に従って処理して受信信号が得るものである。この受信信号は、図２に示す形式に対応した形式の情報である。
【００４６】
分離・同期・デコード部２０４は、復号・誤り訂正回路２０３によって生成された受信信号（図２に示す形式参照）を受け取り、その受信信号から画像データ、音声信号及び放送データを分離するものである。また、分離・同期・デコード部２０４は、例えばＭＰＥＧ−２のトランスポートストリーム処理やデコードを行なうものである。分離・同期・デコード部２０４のデコード部分では、逆離散コサイン変換、動き補償等の処理を行ないデコードする。
【００４７】
分離・同期・デコード部２０４は、分離した音声データを、音声出力部２０５へ与えるものである。このとき、分離・同期・デコード部２０４は、音声データと共に同期データも音声出力部２０５へ与えて、映像と同期した音声を提供するようにする。
【００４８】
また、分離・同期・デコード部２０４は、分離した画像データを、映像処理部２０６へ与えるものである。このとき、分離・同期・デコード部２０４は、画像データと共に、同期信号も映像処理部２０６に与える。
【００４９】
映像処理部２０６は、分離・同期・デコード部２０４から画像データを受け取り、その画像データを映像信号に変換して、画像出力部２７へ与えるものである。
【００５０】
画像出力部２０７は、画像処理部２０６から映像信号と同期信号とを受け取り、同期信号に同期させて画像信号を表示ユニット２１２に与えるものである。
【００５１】
その結果、放送内容情報に基づいた映像が表示ユニット２１２に表示されると共に、その映像に同期した音声がスピーカ２１３から出力される。
【００５２】
また、分離・同期・デコード部２０４は、分離した放送データを、映像制御部２０８へ与えるものである
映像制御部２０８は、例えば、ユーザに操作されたリモコンユニットからの指示データ表示のための操作信号により起動され、その放送データを表示ユニット２１２に表示される放送内容情報に基づいた映像に、放送データに対応した画像を重畳できるような形式の映像信号に変換するものである。または、映像制御部２０８は、放送の画面を作成できるものであり、データ放送画面は、例えばＢＭＬ（Broadcast  Markup  Language）ブラウザを用いて作成している。映像制御部２０８は、このようにして変換した映像信号を、データ放送出力部２０９へ与えるものである。
【００５３】
データ放送出力部２０９は、映像制御部２０８から映像信号を受け取り、表示ユニット２１２に供給するものである。
【００５４】
その結果、放送データ又はデータ放送に対応した画像が、放送内容情報に基づいた映像に重畳されるように表示ユニット２１２に表示される。
【００５５】
さらに、分離・同期・デコード部２０４は、受信信号に含まれる制御信号を分離抽出し、その制御信号に従って当該制御信号と対になる送出用データを通信制御部２１０に与えるものである。
【００５６】
通信制御部２１０は、分離・同期・デコード部２０４から供給される送出用データを、近距離無線通信（IrDA、Bluetooth（登録商標）等）によって送信する近距離無線送受信部２１１を制御するものである。
【００５７】
近距離無線送受信部２１１は、通信制御部２１０による制御のもと、アンテナ部２１４を介した近距離無線通信により接続相手端末の探索を行い、接続相手端末があると、その接続相手端末に対して送出用データを送信するものである。または、近距離無線送受信部２１１は、接続相手端末の探索を行なわずにそのまま送出用データを送出できるものである。
【００５８】
このように、通信制御部２１０及び近距離無線送受信部２１１により送出用データの自律的な送信がなされる。
【００５９】
次に、図４は、本実施形態に係る携帯電話機３００の構成を示したブロック図である。
【００６０】
図４において、携帯電話機３００は、メインＣＰＵ（Central Processing Unit）３０１、デジタル処理部３０２、無線部３０３、アンテナ部３０４、ＲＯＭ（Read Only Memory）３０５、ＲＡＭ（Random Access Memory）３０６、ＥＥＰＲＯＭ（Electrically Erasable and Programmable ROM）３０７及び表示・操作部３０８を有する。
【００６１】
上記メインＣＰＵ３０１、デジタル処理部３０２、ＲＯＭ３０５、ＲＡＭ３０６、ＥＥＰＲＯＭ３０７及び表示・操作部３０８は、バスＢにて接続されている。
【００６２】
上記無線部３０３は、パワーアンプ３０３ａ及び変復調部３０３ｂを有している。メインＣＰＵ３０１は、ＲＯＭ３０５からＲＡＭ３０６に読み出されたプログラムに従って携帯電話機３００の各部を制御する。無線部３０３は、アンテナ部３０４を介して移動通信システム（図１参照）との無線通信（音声通信、データ通信）を行う。
【００６３】
デジタル処理部３０２は、無線部３０３からの受信信号に対するデジタル処理や、送信すべきデータを送信信号に変換して無線部３０３に供給する。ＲＯＭ３０５は、種々のプログラムや各種テーブル等を格納し、フラッシュメモリ等で構成される。ＲＡＭ３０６は、前述したようにメインＣＰＵ３０１にて実行されるプログラムやメインＣＰＵ３０１での処理にて生成された各種データを格納する。ＥＥＰＲＯＭ３０７は、所謂、ブックマークや電話帳等として用いられ、電話番号リストやメールアドレスリストが格納される。
【００６４】
表示・操作部３０８は、ユーザによる操作に対応した信号を発生すると共に、メインＣＰＵ３０１の制御によりＲＡＭ３０６に格納された画像データに基づいた画像表示を行う。
【００６５】
上述した携帯電話機３００の構成は、公知の携帯電話機の構成と同様である。この携帯電話機３００は、このような公知の携帯電話機の構成に加えて、更に近距離無線通信部３１０を有する。
【００６６】
この近距離無線通信部３１０は、アンテナ部３１１、近距離無線送受信部３１２、変復調・デジタル処理部３１３及び送受信制御部３１４を有している。
【００６７】
送受信制御部３１４はバスＢに接続され、メインＣＰＵ３０１と情報交換を行うものである。
【００６８】
近距離無線送受信部３１２は、アンテナ部３１１を介して近距離無線通信（IrDA、Bluetooth（登録商標）等）による送信処理及び受信処理を行うものである。変復調・デジタル処理部３１３は、送信すべき信号の変調、近距離無線送受信部３１２からの受信信号の復調を行うと共にそれらの信号に対するデジタル処理を行う。送受信制御部３１４は、メインＣＰＵ３０１と情報交換を行って、送信すべきデータを変復調・デジタル処理部３１３に供給し、変復調・デジタル処理部３１３からの受信信号に対応したデータをバスＢを介してメインＣＰＵ３０１に供給する。
【００６９】
（Ａ−２）実施形態の動作
図５は、本実施形態に係る情報放送システムのフローチャートである。
【００７０】
上述したような、放送局１００、テレビ装置２００及び携帯電話機３００からなるシステムでは、例えば、図５に示すような手順に従って処理がなされる。
【００７１】
図５において、放送局１００から、番組に係る画像データ及び音声信号を含む放送内容情報と、その番組に関連する付加情報とが放送される（ＳＴ１０）。
【００７２】
この付加情報は、例えば、その番組に関連するイベントの内容を表す文字データ及びそのイベントの申し込み先の電話番号やメールアドレスを表す文字データを含む放送データと、更にその電話番号やメールアドレスを表す送出用データ（ユーザ提供データ）と、その送出用データを近距離無線通信により送信するために必要な制御情報とを有するものである（図２参照）。
【００７３】
この放送される放送内容情報及び付加情報が、テレビ装置２００により受信され（ＳＴ２１）、テレビ装置３００において、その受信信号が復調処理及びデジタル処理がなされ、放送内容情報に基づいた映像と共に、例えば、図６に示すように、放送データに基づいた文字画像「申込先」、「ＴＶＰ＠ｈｉｇａｓｈｉｔｖ．ｃｏ．ｊｐ」、「ＴＥＬ：＊＊＊＊−＊＊＊＊」が、表示ユニット２１２に表示される（ＳＴ２２）。
【００７４】
また、上記付加情報に含まれる制御信号に従って分離・同期・デコード部２０４により上記メールアドレス「ＴＶＰ＠ｈｉｇａｓｈｉｔｖ．ｃｏ．ｊｐ」及び電話番号「＊＊＊＊−＊＊＊＊」を表す送出用データ（ユーザ提供データ）が分離抽出され（ＳＴ２３）、その送出用データが通信制御部２１０に転送される（ＳＴ２４）。
【００７５】
その通信制御部２１０の制御のもと近距離無線送受信部２１１による近距離無線通信が開始され、近距離無線送受信部２１１に無線接続される端末に対する上記メールアドレス「ＴＶＰ＠ｈｉｇａｓｈｉｔｖ．ｃｏ．ｊｐ」及び電話番号「＊＊＊＊−＊＊＊＊」を表す送出用データが、近距離無線通信により送信される（ＳＴ２５）。
【００７６】
上記のようにテレビ装置２００の表示ユニット２１２に表示される放送データに基づいた文字画像「申込先」、「ＴＶＰ＠ｈｉｇａｓｈｉｔｖ．ｃｏ．ｊｐ」及び「ＴＥＬ：＊＊＊＊−＊＊＊＊」を見たユーザが携帯電話機３００の表示・操作部３０８によりデータ取得のための所定の操作を行うと、携帯電話機３００の近距離無線通信部３１０が起動される（ＳＴ３１）。
【００７７】
この状態で、上述したようにテレビ装置２００から近距離無線通信が開始されると（ＳＴ２５）、テレビ装置２００の近距離無線送受信部２１１と携帯電話機３００の近距離無線通信部３１０との無線接続がなされ、テレビ装置２００の近距離無線送受信部２１１からアンテナ部２１４を介して送信される上記送出用データ（「ＴＶＰ＠ｈｉｇａｓｈｉｔｖ．ｃｏ．ｊｐ」、「＊＊＊＊−＊＊＊＊」）が携帯電話機３００の近距離無線通信部３１０にて受信される（ＳＴ３２）。
【００７８】
携帯電話機３００の近距離無線通信部３１０では、上記メールアドレス「ＴＶＰ＠ｈｉｇａｓｈｉｔｖ．ｃｏ．ｊｐ」及び電話番号「＊＊＊＊−＊＊＊＊」を含む受信信号が近距離無線送受信部３１２から変復調・デジタル処理部２１３に供給され、復調及びデジタル処理により得られたそのメールアドレス及び電話番号のデータが送受信制御部３１４に転送される（ＳＴ３３）。
【００７９】
送受信制御部３１４からバスＢに送出される上記メールアドレス及び電話番号のデータがメインＣＰＵ３０１の制御のもとＥＥＰＲＯＭ３０７の電話番号リスト及びメールアドレスリストに登録される（ＳＴ３４）。このとき、更に、メインＣＰＵ３０１は、そのメールアドレス及び電話番号を表示・操作部３０８のＬＣＤユニットに表示させる。
【００８０】
この状態で、ユーザは、携帯電話機３００にてそのメールアドレス及び電話番号を利用できるようになる。例えば、表示された電話番号に対する発信操作や表示されたメールアドレスに対するメールの送信操作により、ユーザは上記イベントに対する申込を行うことができる。
【００８１】
（Ａ−３）実施形態の効果
以上、本実施形態に係るシステムによれば、テレビ装置２００は、放送内容情報と共に受信した送出用データを近距離無線通信にて自律的に送信するので、携帯電話機３００のユーザは、その携帯電話機３００の近距離無線通信部３１０を起動させておくだけで、その送出用データを取得することができる。
【００８２】
また、テレビ装置２００の近傍に同じような近距離無線通信機能を有する携帯電話機が複数存在していても、それぞれの携帯電話機にて同様に上記送出用データを取得することができる。
【００８３】
（Ｂ）他の実施形態
上述した実施形態において、送出用データ（例えば、電話番号、メールアドレス）に対応した画像を表す放送データが付加情報に含められていたが、そのような放送データを付加情報に含めなくてもよい。この場合、そのような画像に対応した映像あるいは音声が得られるように放送内容情報を編集することも可能であるし、また、予めそのような送出用データが番組案内などで予め周知にされているものであれば、特に、そのような画像（例えば、電話番号、メールアドレス）を表示ユニット２１２に表示させなくてもよい。
【００８４】
また、上述した実施形態では、放送受信装置としてテレビ装置２００を用いたが、その放送受信装置としてラジオ装置を用いることもできる。
【００８５】
テレビ装置２００から近距離無線通信により送信される送信用データ（ユーザ提供データ）は、上記のような電話番号、メールアドレスに限られず、ユーザが利用可能な状態で記憶されるものであれば、例えば、イベントの内容、料理のレシピ、時刻表、地図など、単なる記述的な情報であってもよい。
【００８６】
また、テレビ装置２００と携帯電話機３００との間でなされる通信は、上述した例に限られることなく、例えば光モールス信号等によって伝送できるようにしてもよい。
【００８７】
例えば、光モールス信号等の場合は、図６に示すテレビ画面内の発光通信箇所２４０から送信することができる。この発光通信箇所２４０は、表示される画面の一部分であり、送出用データが送信される場合にのみ発光するものである。従って、送信しない場合は、通常の画面を同様であり、外部からの視覚によっては検知されない。この場合、送出用データは、分離・同期・デコード部２０４から映像制御部２０８に送られる。映像制御部２０８は、送出用データを制御してデータ放送出力部２０９に送る。データ放送出力部２０９は、画像出力部２０７と合わせて表示されるよう送出用データを出力する。送出用データは画像の特定部分、すなわち発光通信箇所２４０を光らせるかどうかの信号である。発光通信箇所２２０は、送出用データにより、発光通信を行なう。なお、発光通信箇所２４０の位置は、特に固定されるものではなく、画面外部でもよい。またユーザによる端末装置の操作を通して双方向通信できるようにしてもよい。
【００８８】
また例えば、図７に示すように、映像制御部２０８が、データ放送画面をＢＭＬブラウザを用いて作成する場合、映像画面とデータ放送画面とが同時に画面上に表示できるようにしてもよく、上述した発光通信箇所２４０の位置が、映像画面上でも、データ放送画面上であってもよい。
【００８９】
さらに、上述した実施形態では、携帯端末装置として携帯電話機３００を用いたが、これに限られず、その携帯端末装置としてＰＤＡ（Personal Digital Assistants）や所謂ノートパソコンを用いることもできる。
【００９０】
【発明の効果】
以上、説明したように、本発明の放送受信装置によれば、特に当該放送受信装置の外部からの働きかけを必要とせずに、放送内容情報と共に放送された付加情報に含まれるユーザ提供データを近距離無線通信により送信することができる。従って、上記近距離無線通信の可能な領域に存在した１または複数の携帯端末装置に対してその受信したデータをより簡単に提供できるようになる。
【００９１】
また、本発明の情報放送システムによれば、上述したような放送受信装置と情報通信可能な携帯端末装置を備えるシステム実現することができる。
【図面の簡単な説明】
【図１】本発明の実施の形態に係るテレビ装置、携帯端末装置を含むシステムの構成例を示す図である。
【図２】放送局から放送される情報のフォーマットの一例を示す図である。
【図３】テレビ装置の構成例を示すブロック図である。
【図４】携帯端末装置の構成例を示すブロック図である。
【図５】放送局、テレビ装置、及び携帯端末装置での処理の流れの一例を示すシーケンス図である。
【図６】テレビ装置と携帯端末装置の利用例を示す図である。
【図７】テレビ装置の利用例を示す図である。
【符号の説明】
１００  放送局                  ２００  テレビ装置
２０１  アンテナ部              ２０２  チューナ
２０３  復号・誤り訂正回路      ２０４  分離・同期・デコード部
２０５  音声出力部              ２０６  映像処理部
２０７  画像出力部              ２０８  映像制御部
２０９  データ放送出力部        ２１０  通信制御部
２１１  近距離無線送受信部      ２１２  表示ユニット
２１３  スピーカ                ２１４  アンテナ部
２２０  制御部                  ２４０発光通信箇所
３００  携帯電話機              ３０１  メインＣＰＵ
３０２  デジタル処理部          ３０３  無線部
３０４  アンテナ部              ３０５  ＲＯＭ
３０６  ＲＡＭ                  ３０７  ＥＥＰＲＯＭ
３０８  表示・操作部            ３１０  近距離無線通信部
３１１  アンテナ部              ３１２  近距離無線送受信部
３１３  変復調・デジタル処理部  ３１４  送受信制御部３１４
【図１】
0004094336.tif 000002
【図２】
0004094336.tif 000003
【図３】
0004094336.tif 000004
【図４】
0004094336.tif 000005
【図５】
0004094336.tif 000006
【図６】
0004094336.tif 000007
【図７】
0004094336.tif 000008